(57)【要約】      （修正有）【課題】子供や手の不自由な者、高齢者であっても、簡易に、素早く、小便をすることが可能な男性用の下半身用下着、及び下半身用衣服を提供する。【解決手段】男性下半身用下着１００は、下腹部９に、外布３と内布４とを重ねた前開き部７を備え、外布３は、左右の一側端縁に外側へ開口した外側開口部３１を有し、内布４は、左右の他側端縁に内側へ開口した内側開口部４１を有する。また、内布４の内側開口部４１から左右の一側へ切れ込むスリット８を備える。【選択図】図１
0003210833.tif 000002
【実用新案登録請求の範囲】
【請求項１】
下腹部に、外布と内布とを重ねた前開き部を備え、前記外布は、左右の一側端縁に外側へ開口した外側開口部を有し、前記内布は、左右の他側端縁に内側へ開口した内側開口部を有する男性下半身用下着であって、
前記内布の内側開口部から左右の一側へ切れ込むスリットを備えることを特徴とする男性下半身用下着。
【請求項２】
男性が下半身に着用する下半身用衣服であって、
下腹部に水平方向のスリットを備える男性下半身用衣服。
【考案の詳細な説明】
【技術分野】
【０００１】
この考案は、男性用のブリーフやパンツ、股引等の下半身用下着や、スポーツパンツ等の下半身用衣服に関し、特に、小便をするための前開き部を備えた男性用の下半身用下着、及び衣服に関する。
【背景技術】
【０００２】
従来、ブリーフやパンツ、股引等の男性用の下半身用下着の多くは、外布と内布を前後に重ねてなる前開き部が設けられており、小便をする場合に、外布と内布を開ける必要が有る。また、ブリーフの上に股引を重ねたような場合は、股引の外布と内布を開けたのち、さらに、ブリーフの外布と内布を開ける必要が有る。
【０００３】
そのため、子供や手の不自由な者がうまく前開き部を開けることができず、あるいは、排尿機能の衰えた高齢者が、急を要する場合に間に合わず、ブリーフ等を尿で汚してしまうことが有る。
【０００４】
そこで、特許文献１では、前面の２枚の布が重なった前開き部（特許文献１では「重合部」）の外布の開口縁の下端がブリーフの下端に達するよう構成した男性用ブリーフが提案されている。
【先行技術文献】
【特許文献】
【０００５】
【特許文献１】実用新案登録第３０７０８１５号公報
【考案の概要】
【考案が解決しようとする課題】
【０００６】
しかし、特許文献１のブリーフでは、外布を開放するのは多少容易になるものの、内布を開放するのには、なお手間がかかるという問題がある。
また、ジャージ等のスポーツパンツは、下腹部に前開き部を備えないものが多く、小便をする際には腰ゴムを陰部まで下ろす必要が有り、上着の裾をたくし上げたりしなくてはならず、やはり手間がかかるという問題が有る。
本考案は、上記課題に鑑みてなされたものであり、子供や手の不自由な者、高齢者等であっても、簡易に、素早く、小便をすることが可能な男性下半身用下着、及び男性下半身用衣服の提供を目的とする。
【課題を解決するための手段】
【０００７】
上記課題を解決するためになされた考案は、下腹部に、外布と内布とを重ねた前開き部を備え、前記外布は、左右の一側端縁に外側へ開口した外側開口部を有し、前記内布は、左右の他側端縁に内側へ開口した内側開口部を有する男性下半身用下着であって、前記内布の内側開口部から左右の一側へ切れ込むスリットを備えることを特徴とする。
【０００８】
このように、下腹部の前開き部に、外布と内布とを設けてなる男性下半身用下着において、内布に、その端縁（内側開口部）から切れ込むスリットを設けることで、外布を開いたあと、容易に、素早く陰部を取り出すことができる。
【０００９】
本考案は、下腹部に水平方向（着用者の左右方向）のスリットを備える男性下半身用衣服を含む。例えば、従来前開き部を有さなかったスポーツパンツ等に、かかる水平方向に切れ込むスリットを設けることで、腰ゴムを陰部までずらす必要がなくなり、容易に、スリットから陰部を取り出すことができる。
【考案の効果】
【００１０】
以上説明したように、本考案の男性下半身用下着、及び男性下半引用衣服によれば、小便をする際に、素早く、簡単に陰部を取り出すことができる。
【図面の簡単な説明】
【００１１】
【図１】本考案の第１実施形態に係る男性下半身用下着の部分透視正面図である。
【図２】図１の男性下半身用下着の外布を開いた状態の斜視図である。
【図３】本考案の第２実施形態に係る男性下半身用下着のスリット周辺を示す要部正面図である。
【図４】本考案の第３実施形態に係る男性下半身用衣服の斜視図である。
【図５】本考案の第４実施形態に係る男性下半身用衣服の斜視図である。
【考案を実施するための形態】
【００１２】
以下、適宜図面を用いながら本考案の実施形態について詳述する。ただし、本考案は、以下の実施形態に限定されるものではない。
尚、以下の実施形態において、着用者の右側が特許請求の範囲における左右の一側に、着用者の左側が特許請求の範囲における左右の他側に該当する。
【００１３】
（第１実施形態）
図１及び図２は、本考案の第１実施形態に係る男性下半身用下着１００を示している。男性下半身用下着１００は、股引やパッチ、ステテコのように、トランクスやブリーフ等の上に重ねて着用する下半身用の下着である。
【００１４】
男性下半身用下着１００は、綿やアクリル等の天然、又は合成繊維により編成された布地を裁断縫製して形成され、図１に示すように、着用者の左足と左腰を覆う左身頃１と、着用者の右足と右腰を覆う右身頃２と、下腹部９に設けられる前開き部７と、穿き口周縁に設けられる腰ゴム５と、左右一対の足首リブ６とを備えている。前開き部７は、外布３、及び内布４により構成される。腰ゴム５、及び足首リブ６には、ポリウレタン等からなる弾性糸を用いて伸縮性が付与されている。
【００１５】
外布３は、図１に示すように、上下方向に長い短冊状に裁断された布地からなり、右縁（図１では、左側の縁）の下部に、円弧状に左側へ切れ込んで、ほつれ止めの縫合がされた円弧状部３１が形成されている。
外布３の周縁は、円弧状部３１を除いて、左身頃１、右身頃２、腰ゴム５、及び内布４のいずれかに縫合されている。円弧状部３１と内布４との間に、右方へ開口した外側開口部７１が形成されている。
【００１６】
内布４は、図１に示すように、外布３と概ね同形状に裁断された布地からなり、左縁の下部に、右側に円弧状に切れ込んで、ほつれ止めの縫合がされた円弧状部４１が形成されている。
内布４の周縁は、円弧状部４１を除いて、外布３と共に周囲の部材に縫合されている。
円弧状部４１と外布３との間に、左方へ開口した内側開口部７２が形成されている。
【００１７】
内布４は、上下方向の中央において、円弧状部４１から右側に切れ込むスリット８を備えている。スリット８の周縁には、ほつれ止めの縫合がなされている（図２参照）。スリット８は、内布４の幅よりも短いことが好ましい。スリット８が内布４の全幅にわたり切れ込むと、不用意に陰部が内布４の外部へ飛び出す虞がある。
図示の例では、スリット８は、円弧状部４１に略垂直に切れ込んでいるが、円弧状部４１に対し斜めに切れ込むようにしてもよい。
【００１８】
以上のような構成を有する男性下半身用下着１００を着用して小便をする際には、図２に示すように、外布３を左側に引っ張って外側開口部７１を開くと、内布４のスリット８が現れるため、これを通して容易に陰部Ｐを取り出すことができる。
【００１９】
（第２実施形態）
図３は、本考案の第２実施形態に係る男性下半身用下着２００の内布２０４を示している。内布２０４のスリット２０８は、スリットの上下の布地が前後に重なり、互いに面ファスナー（不図示）により係脱自在に接合されている。面ファスナーの代わりに、ボタンやホック、ジッパー等を用いることもできる。
【００２０】
（その他の実施形態）
図４は、本考案の第３実施形態に係る男性下半身用衣類３００を示している。男性下半身用衣類３００は、下腹部９に左右方向に延び両端を有するスリット３０８を備えている。スリット３０８は、着用者の陰部の直前となる位置に設けられている。図示の例では、スリット３０８は、前垂れ部３０８ａにより開閉する。
【００２１】
従来のスポーツパンツは、一般に下腹部に前開き部を備えないため、腰ゴム部を下ろして穿き口から陰部を出すようにする。本実施形態に係る男性下半身用衣類３００のスリット３０８は、前垂れ部３０８ａで覆っただけであるため、穿き口を陰部までずらさなくても、前垂れ部３０８ａを開くだけで、容易に、陰部を取り出すことができる。
【００２２】
また、スーツのズボンやジーンズのボトムのように、縦に延びる前開き部の場合には、ジッパーを開けても、前開き部の一方を片手で押えながら、もう片方の手で陰部を取り出す必要が有る。これに対し、本実施形態の男性下半身用衣類３００は、左右方向に延びるようスリット３０８を設けたので、スリット３０８を開けたあと、片方の手でスリットが閉じないように押える必要が無い。
【００２３】
尚、図５に示した、男性下半身用衣類４００のように、水平方向に延びるスリット４０８にチャック４０８ａを設けてもよい。
【００２４】
以上、本考案の下半身用下着は、上述した実施形態に限らず、例えば、ブリーフ等の上に着用するものに限らず、ブリーフのように肌の上に直接着用する下着等にスリットを設けたようなものも含む。両端を有するスリットをスポーツパンツでなく、ブリーフや猿股等の下着に設けてもよい。
【符号の説明】
【００２５】
１００，２００，３００，４００  下半身用衣服
３  外布
４，２０４  内布
７  前開き部
７１  外側開口部
７２  内側開口部
８，２０８，３０８，４０８  スリット
９  下腹部
【図１】
0003210833.tif 000003
【図２】
0003210833.tif 000004
【図３】
0003210833.tif 000005
【図４】
0003210833.tif 000006
【図５】
0003210833.tif 000007